(57)【特許請求の範囲】
【請求項１】
露光処理位置に位置するフィルム（Ｆ）の駒を投影露光するための露光開口部（ＥＷ）の開口寸法を複数種の大きさに変更する露光用マスク装置であって、
前記露光開口部（ＥＷ）の複数種の開口寸法のうちの最も大きな開口寸法に対応する露光開口部形成用の開口（５ｗ）を形成する最大露光開口部形成用枠体（５）が、前記露光処理位置に固定設置され、
スライド調節自在な露光開口部形成用枠体（６）として、前記最も大きな開口寸法を除いた開口寸法に対応する異なる開口寸法の露光開口部形成用の開口（６１ｗ），（６２ｗ）が各別に形成された２個の露光開口部形成用枠体（６１），（６２）で構成され、夫々の露光開口部形成用枠体（６１），（６２）が、前記露光処理位置と、その露光処理位置から退避した退避位置とに位置変更自在で、且つ、前記退避位置が互いに異なる位置になるように各別にスライド調節自在に設けられ、
前記２個の露光開口部形成用枠体（６１），（６２）夫々に、スライド移動方向と直交する姿勢の端面（６１ｃ），（６２ｃ）を形成し、この２個の露光開口部形成用枠体（６１），（６２）の前記露光処理位置側への移動により前記端面（６１ｃ），（６２ｃ）が接当して移動限度を接当規制する共通の規制部（５２）が前記最大露光開口部形成用枠体（５）に設けられている露光用マスク装置。
【請求項２】
前記最大露光開口部形成用枠体（５）に形成された４つの端面（５１ａ），（５１ｂ），（５１ｃ），（５１ｄ）で取り囲まれることにより矩形状となる凹部（５１）に対して嵌め込む形態で、前記２個の露光開口部形成用枠体（６１），（６２）が配置され、
前記規制部（５２）は、前記４つの端面（５１ａ），（５１ｂ），（５１ｃ），（５１ｄ）のうち、前記露光開口部形成用枠体（６１），（６２）のスライド方向と沿う姿勢の端面（５１ａ），（５１ｂ）に対し、前記凹部（５１）の内方に突出する形状で、夫々の端面（５１ａ），（５１ｂ）と一体的に形成され、
前記２個の露光開口部形成用枠体（６１），（６２）夫々は、幅が広い幅広部（６１ａ），（６２ａ）と幅が狭い幅狭部（６１ｂ），（６２ｂ）とから成り、この幅広部（６１ａ），（６２ａ）と幅狭部（６１ｂ），（６２ｂ）とが連なる位置に前記端面（６１ｃ），（６２ｃ）が形成されている請求項１記載の露光用マスク装置。
【請求項３】
前記露光開口部形成用枠体（６）をスライド操作する枠体操作手段（７）と、
前記露光処理位置に位置するフィルム（Ｆ）の駒の大きさ情報に基づいて、その駒に対応する開口寸法に前記露光開口部（ＥＷ）の開口寸法を変更するように、前記枠体操作手段（７）の作動を制御する制御手段（ＣＯ）とが設けられ、この制御手段（ＣＯ）は、露光位置に送られる以前にフィルム（Ｆ）の画像情報を読み取る画像情報読取部（１）からの画像情報に基づいてフィルム（Ｆ）の駒の大きさを記憶しておき、その記憶に基づいて前記露光処理位置に位置するフィルム（Ｆ）の駒の大きさを判断して前記枠体操作手段（７）の作動を制御するよう構成されている請求項１又は２記載の露光用マスク装置。
【発明の詳細な説明】
【０００１】
【産業上の利用分野】
本発明は、露光処理位置に位置するフィルムの駒を投影露光するための露光開口部の開口寸法を複数種の大きさに変更する露光用マスク装置に関する。
【０００２】
【従来の技術】
かかる露光用マスク装置は、フィルムの駒には種々のサイズのものがあるので、フィルムの駒を投影露光する際に、フィルムの駒のサイズに対応させて露光開口部の開口寸法を変更するものである。
かかる露光用マスク装置において、従来は、下記のような構成にて、露光開口部の開口寸法を変更していた。
長手方向に沿って異なる開口寸法の露光開口部形成用の開口が複数個形成された、可撓性を有するベルト材を、二つのローラに両端部夫々から互いに逆方向に巻き付けた状態で支持し、二つのローラの回動操作により、投影露光するフィルムの駒のサイズに対応した大きさの開口寸法の露光開口部形成用の開口を露光処理位置に位置させるようにしていた（例えば、実開昭６０−９８８４１号公報参照）。
【０００３】
又、板状に保形され、且つ、異なる開口寸法の露光開口部形成用の開口が各別に形成された複数個の露光開口部形成用枠体を、積層した状態で、夫々の枠体の一端縁を同一の軸体に揺動自在に支持するとともに、露光用光路から退避した退避位置に配置し、複数個の露光開口部形成用枠体から、投影露光するフィルムの駒のサイズに対応した開口寸法の露光開口部形成用の開口を備えた露光開口部形成用枠体を、前記退避位置から露光処理位置側に揺動させて露光処理位置に位置させるようにしていた（例えば、実開昭６０−９８８４１号公報参照）。尚、複数個の露光開口部形成用枠体は、露光開口部形成用の開口が大きいものから順に積層し、投影露光するフィルムの駒のサイズに対応した開口寸法の露光開口部形成用の開口を備えた露光開口部形成用枠体を、露光処理位置側に揺動する際には、その枠体よりも大きい開口寸法の露光開口部形成用の開口を備えた露光開口部形成用枠体と一体的に揺動させるようにしていた。
【０００４】
【発明が解決しようとする課題】
しかしながら、上記従来の装置において、可撓性を有するベルト材を二つのローラに巻き付けた状態で支持したものでは、ベルト材が可撓性を有するので、ベルト材が変形することに伴って露光開口部形成用の開口が変形するため、フィルムにおける駒以外の箇所から露光用の光が漏れて、露光品質が低下するという問題があった。
一方、上記従来の装置において、複数個の露光開口部形成用枠体を積層した状態で揺動自在に支持したものでは、露光開口部形成用枠体は保形性を有するので露光開口部形成用の開口が変形することはないが、露光開口部形成用枠体を揺動させるために空気を流動させて塵埃を吹き上げやすく、吹き上げられた塵埃が浮遊したりフィルムの駒に付着したりするため、この場合も、露光品質が低下するという問題があった。
【０００５】
本発明は、かかる実情に鑑みてなされたものであり、その目的は、露光品質が優れた露光用マスク装置を提供することにある。
【０００６】
【課題を解決するための手段】
本発明による露光用マスク装置の第１の特徴構成は、前記露光開口部の複数種の開口寸法のうちの最も大きな開口寸法に対応する露光開口部形成用の開口を形成する最大露光開口部形成用枠体が、前記露光処理位置に固定設置され、スライド調節自在な露光開口部形成用枠体として、前記最も大きな開口寸法を除いた開口寸法に対応する異なる開口寸法の露光開口部形成用の開口が各別に形成された２個の露光開口部形成用枠体で構成され、夫々の露光開口部形成用枠体が、前記露光処理位置と、その露光処理位置から退避した退避位置とに位置変更自在で、且つ、前記退避位置が互いに異なる位置になるように各別にスライド調節自在に設けられ、前記２個の露光開口部形成用枠体夫々に、スライド移動方向と直交する姿勢の端面を形成し、この２個の露光開口部形成用枠体の前記露光処理位置側への移動により前記端面が接当して移動限度を接当規制する共通の規制部が前記最大露光開口部形成用枠体に設けられている点にある。
【０００７】
第２の特徴構成は、前記最大露光開口部形成用枠体に形成された４つの端面で取り囲まれることにより矩形状となる凹部に対して嵌め込む形態で、前記２個の露光開口部形成用枠体が配置され、前記規制部は、前記４つの端面のうち、前記露光開口部形成用枠体のスライド方向と沿う姿勢の端面に対し、前記凹部の内方に突出する形状で、夫々の端面と一体的に形成され、前記２個の露光開口部形成用枠体夫々は、幅が広い幅広部と幅が狭い幅狭部とから成り、この幅広部と幅狭部とが連なる位置に前記端面が形成されている点にある。
【０００８】
第３の特徴構成は、前記露光開口部形成用枠体をスライド操作する枠体操作手段と、前記露光処理位置に位置するフィルムの駒の大きさ情報に基づいて、その駒に対応する開口寸法に前記露光開口部の開口寸法を変更するように、前記枠体操作手段の作動を制御する制御手段とが設けられ、この制御手段は、露光位置に送られる以前にフィルムの画像情報を読み取る画像情報読取部からの画像情報に基づいてフィルムの駒の大きさを記憶しておき、その記憶に基づいて前記露光処理位置に位置するフィルムの駒の大きさを判断して前記枠体操作手段の作動を制御するよう構成されているている点にある。
【００１３】
【作用】
第１の特徴構成によれば、露光処理位置に位置するフィルムの駒に対応する露光開口部の開口寸法が、最も大きな開口寸法のときは、露光開口部形成用枠体を露光処理位置から退避させた状態とし、最大露光開口部形成用枠体に形成された露光開口部形成用の開口を、露光開口部として機能させる。又、露光処理位置に位置するフィルムの駒に対応する露光開口部の開口寸法が、最も大きな開口寸法以外のときは、露光開口部形成用枠体をスライド調節して、露光処理位置に位置するフィルムの駒に対応する露光開口部形成用の開口を露光処理位置に位置させる。
このように露光開口部形成用枠体に形成された露光開口部形成用の開口を露光処理位置に位置させるときは、露光開口部形成用枠体を規制部に接当するまでスライド操作すると、露光開口部形成用の開口が露光処理位置に正確に位置決めされる。
露光開口部形成用枠体は保形性を有しているため、露光開口部形成用の開口の形状も保形性を備えたものとすることができて、露光開口部形成用の開口の形状が変形することがないので、露光用の光がフィルムにおける駒以外の箇所から漏れるのを防止することができる。
又、板状の露光開口部形成用枠体を、露光用光路を横断する方向にスライド調節するので、空気の流動を極力抑制することができて、塵埃の吹き上げを抑制することができる。
【００１４】
第２の特徴構成によれば、最大露光開口部形成用枠体に形成された４つの端面で取り囲まれることにより矩形状となる凹部に対して嵌め込まれた２個の露光開口部形成用枠体を凹部の内部においてスライド作動させることが可能となり、夫々の露光開口部形成用枠体の幅広部と幅狭部とに連なる部位に形成した端面に対して規制部を接当させて移動限度を決め得るものとなる。
【００１６】
第３の特徴構成によれば、制御手段は、露光処理位置に位置するフィルムの駒の大きさ情報に基づいて、露光処理位置に位置するフィルムの駒に対応する、開口寸法の露光開口部形成用の開口を露光処理位置に位置させるように、枠体操作手段の作動を制御する。
【００２２】
【発明の効果】
第１の特徴構成によれば、３種の駒のサイズに適応できるばかりでなく、露光用の光がフィルムにおける駒以外の箇所から漏れるのを防止することできるとともに、露光開口部の開口寸法を変更する際の塵埃の吹き上げを抑制することができるので、露光品質を向上することができるようになった。
【００２３】
第２の特徴構成によれば、最大露光開口部形成用枠体に形成された矩形状の凹部の内部で２個の露光開口部形成用枠体をスライド調節して露光開口部の開口寸法の変更を行えるものとなった。
【００２４】
第３の特徴構成によれば、フィルムの露光処理作業における、露光開口部の開口寸法の変更作業が自動化されるので、フィルムの露光処理作業のコストを低減することができるようになった。
【００２９】
【実施例】
以下、図面に基づいて、本発明の実施例を説明する。
図１に、本発明による露光用マスク装置を備えた写真焼付装置の概略構成図を示す。
図１に示すように、写真焼付装置には、ネガフィルム等のフィルムＦの画像を駒毎に読み取る画像情報読取部１、フィルムＦの画像を印画紙Ｐに投影露光する投影露光部２、露光された印画紙Ｐを現像する現像処理部３、及び、写真焼付装置全体の作動を制御するコントローラＣＯを設けてある。コントローラＣＯには、各種の制御情報を入力するための操作卓Ｏと、画像情報読取部１で読み取った画像情報等を表示するモニタＭＴを接続してある。又、フィルムＦを搬送するフィルム搬送ローラＲ１、そのフィルム搬送ローラＲ１を回転駆動するモータＭ１、印画紙Ｐを搬送する印画紙搬送ローラＲ２、及び、その印画紙搬送ローラＲ２を回転駆動するモータＭ２を設けてある。
【００３０】
モータＭ１は、コントローラＣＯの制御により、フィルムＦを画像情報読取部１から投影露光部２にわたって、駒送り状態で搬送する。
画像情報読取部１にて、フィルムＦの画像情報を駒毎に読み取る。
コントローラＣＯは、画像情報読取部１にて読み取られた画像情報に基づいて、駒毎に露光条件を求めるとともに、その求めた露光条件によって印画紙Ｐに投影露光した際に得られるであろう画像をシミュレートして、モニタＭＴに表示する。又、コントローラＣＯは、画像情報読取部１にて読み取られた画像情報に基づいて、投影露光部２の露光処理位置に位置するフィルムＦの駒の大きさを判別して記憶し、その記憶しているフィルムＦの駒の大きさ情報を、後述する露光開口部ＥＷの開口寸法の変更に利用する。
【００３１】
モータＭ２は、コントローラＣＯの制御により、印画紙Ｐを印画紙マガジン４から引き出して、投影露光部２から現像処理部３にわたって駒送り状態で搬送する。
投影露光部２では、コントローラＣＯにて求めた露光条件によって、印画紙Ｐに、露光処理位置に位置するフィルムＦの駒の画像を投影露光する。
尚、写真焼付装置の操作者は、モニタＭＴに表示されている画像を見て、適正な画像が得られていなければ、操作卓Ｏから、露光条件の修正ができるようになっている。
露光された後の印画紙Ｐを現像処理部３にて現像して、フィルムＦの各駒に対応させて１枚ずつ切断して排出する。
【００３２】
次に、図６に基づいて、写真焼付装置にて処理するフィルムＦの形態について説明する。
フィルムＦは、撮影露光及び現像済の駒を有する１３５ｍｍタイプのネガフィルムを示している。駒Ｆｂ，Ｆｃ，Ｆｄはフィルムの長手方向に略等ピッチで配列されている。駒Ｆｂ，Ｆｃ，Ｆｄのうち最もサイズの大きい駒Ｆｂは、長手方向寸法ｘ、幅方向寸法ｙｆを有するフルサイズと呼ばれるものである。駒Ｆｂよりも次にサイズの小さい駒Ｆｃは、長手方向寸法ｘ、幅方向寸法ｙｈを有するハイビジョンサイズと呼ばれるものである。又、最もサイズの小さい駒Ｆｄは、長手方向寸法ｘ、幅方向寸法ｙｐを有するパノラマサイズと呼ばれるものである。フルサイズ、ハイビジョンサイズ及びパノラマサイズは、長手方向寸法ｘが等しくなっている。フィルムＦには、フルサイズの駒Ｆｂ、ハイビジョンサイズの駒Ｆｃ、及び、パノラマサイズの駒Ｆｄが規則性のない状態で混在して配列されている。
フィルムＦの駒Ｆｂ，Ｆｃ，Ｆｄの幅方向の両外側には、フィルムＦの搬送制御等に使用するパーフォレーションＦａがフィルムＦの長手方向に沿って規則的に配列されている。
【００３３】
次に、図１に基づいて、写真焼付装置の各部の構成について説明を加える。
画像情報読取部１は、フィルムＦを照明する読取用光源１０、読取用光源１０の空間的な輝度ムラを無くして均一にする読取用ミラートンネル１１、及び、ＣＣＤイメージセンサとズームレンズとを内蔵し、フィルムＦの透過光を３原色に色分解して画像情報を読み取るイメージセンサユニット１２を同一光軸上に設けて構成してある。
投影露光部２は、露光用光源２０、フィルムＦに照射する光の色バランスを調整する調光用フィルタ２１、調光用フィルタ２１を通過した光を均一に混色する露光用ミラートンネル２２、フィルムＦの画像情報を印画紙Ｐ上に結像させる焼付ズームレンズ２３及びシャッタ２４を同一光軸上に設けて構成してある。
【００３４】
更に、投影露光部２には、本発明による露光用マスク装置ＭＥを設けてある。露光用マスク装置ＭＥは、露光処理位置に位置するフィルムＦの駒Ｆｂ，Ｆｃ，Ｆｄを投影露光するための露光開口部ＥＷの開口寸法を複数種の大きさに変更する。
以下、露光用マスク装置ＭＥについて、図２ないし図５に基づいて説明する。露光用マスク装置ＭＥは、板状に保形し、且つ、露光開口部ＥＷの複数種の開口寸法のうちの最も大きなフルサイズの駒Ｆｂ用の開口寸法に対応する露光開口部形成用の開口５ｗを形成したフルサイズ用露光開口部形成用枠体（以下、フルサイズ用枠体と略記する場合がある）５を、露光処理位置に固定設置し、又、板状に保形し、且つ、露光開口部ＥＷの複数種の開口寸法のうちのハイビジョンサイズの駒Ｆｃ用及びパノラマサイズの駒Ｆｄ用の開口寸法に対応する露光開口部形成用の開口６１ｗ，６２ｗを形成した露光開口部形成用枠体６を、露光用光路を横断する方向にスライド調節自在に設け、又、露光開口部形成用枠体６をスライド操作する枠体操作手段７を設けて構成してある。フルサイズ用枠体５は、最大露光開口部形成用枠体５に相当する。
【００３５】
フルサイズ用枠体５について説明を加える。
フルサイズ用枠体５は、露光開口部形成用の開口５ｗを露光処理位置に位置させた状態で、基台８上に設けた支持台９上に固定設置してある。支持台９には、フィルムＦを通過させるフィルム通過部９１を形成してある。
フルサイズ用枠体５には、露光開口部形成用枠体６をスライド自在に支持するための略矩形状の凹部５１と、露光開口部形成用枠体６の露光処理位置側への移動限度を接当規制する規制部５２を形成してある。露光開口部形成用の開口５ｗは、凹部５１に形成してあり、規制部５２は、凹部５１における対向する端面５１ａ，５１ｂ夫々に、端面５１ａ，５１ｂから突出する突起状に形成してある。
【００３６】
次に、露光開口部形成用枠体６について説明を加える。
露光開口部形成用枠体６として、ハイビジョンサイズの駒Ｆｃ用及びパノラマサイズの駒Ｆｄ用の開口寸法に対応する露光開口部形成用の開口６１ｗ，６２ｗを各別に形成した、ハイビジョンサイズ用露光開口部形成用枠体（以下、ハイビジョンサイズ用枠体と略記する場合がある）６１とパノラマサイズ用露光開口部形成用枠体（以下、パノラマサイズ用枠体と略記する場合がある）６２とを、各別にスライド調節自在に設けてある。
ハイビジョンサイズ用枠体６１及びパノラマサイズ用枠体６２は、フルサイズ用枠体５の凹部５１における開口５ｗの両側に振り分け配置した状態で、凹部５１に嵌め込んである。
【００３７】
ハイビジョンサイズ用枠体６１は、平面視において幅が広い幅広部６１ａと幅が狭い幅狭部６１ｂとから成り、幅広部６１ａがフルサイズ用枠体５の凹部５１の端面５１ａ，５１ｂに案内されてスライド自在となるように、凹部５１に嵌め込んである。
そして、ハイビジョンサイズ用枠体６１を露光処理位置へ位置させる場合は、露光処理位置側へスライドさせると、幅狭部６１ｂから幅広部６１ａに連なる端面６１ｃが規制部５２に接当して露光処理位置に正確に位置決めされるようになっている。又、ハイビジョンサイズ用枠体６１を露光処理位置から退避させる場合は、退避位置側へスライドさせると、ハイビジョンサイズ用枠体６１の端面６１ｄが凹部５１の端面５１ｃに接当して、退避位置に位置決めされるようになっている。
【００３８】
パノラマサイズ用枠体６２は、ハイビジョンサイズ用枠体６１と同様に、幅広部６２ａと幅狭部６２ｂとから成り、幅広部６２ａがフルサイズ用枠体５の凹部５１の端面５１ａ，５１ｂに案内されてスライド自在となるように、凹部５１に嵌め込んである。
そして、パノラマサイズ用枠体６２を露光処理位置へ位置させる場合は、露光処理位置側へスライドさせると、幅狭部６２ｂから幅広部６２ａに連なる端面６２ｃが規制部５２に接当して露光処理位置に正確に位置決めされるようになっている。又、パノラマサイズ用枠体６２を露光処理位置から退避させる場合は、退避位置側へスライドさせると、パノラマサイズ用枠体６２の端面６２ｄが凹部５１の端面５１ｄに接当して、退避位置に位置決めされるようになっている。
【００３９】
つまり、ハイビジョンサイズ用枠体６１及びパノラマサイズ用枠体６２を、露光処理位置とその露光処理位置から退避した退避位置とに位置変更自在で、且つ、退避位置が互いに異なる位置になるように設けてある。
【００４０】
尚、ハイビジョンサイズ用枠体６１及びパノラマサイズ用枠体６２をフルサイズ用枠体５の凹部５１に嵌め込んだ状態で、ハイビジョンサイズ用枠体６１及びパノラマサイズ用枠体６２の上下方向の移動を規制する押さえ板１０，１０を、フルサイズ用枠体５に螺着してある。
【００４１】
次に、枠体操作手段７について説明を加える。
枠体操作手段７としては、ハイビジョンサイズ用枠体６１をスライド操作するハイビジョンサイズ用操作手段７ｈと、パノラマサイズ用枠体６２をスライド操作するパノラマサイズ用操作手段７ｐとを設けてある。
以下、ハイビジョンサイズ用操作手段７ｈについて説明を加える。
先端部にピン７０ｂを固着し、且つ、後端部に長尺の切り欠き７０ａを形成したアーム７０を、その中間部において軸体７１に枢支した状態で、設けてある。長孔７２ａを形成した連結ブロック７２を、ハイビジョンサイズ用枠体６１の上面に固着してある。回転部７３ａにピン７３ｂを固着したロータリソレノイド７３を基台８上に設けてある。
そして、連結ブロック７２の長孔７２ａに、ピン７０ｂを長孔７２ａの長手方向に摺動自在に嵌合して、アーム７０とハイビジョンサイズ用枠体６１とを連動連結してある。又、アーム７０の切り欠き７０ａに、ロータリソレノイド７３のピン７３ｂを切り欠き７０ａの長手方向に摺動自在に嵌合して、アーム７０とロータリソレノイド７３を連動連結してある。又、アーム７０には、ハイビジョンサイズ用枠体６１を退避位置側に引っ張るようにアーム７０を付勢するコイルバネ７４を接続してある。
【００４２】
ロータリソレノイド７３が非通電状態では、コイルバネ７４の付勢力によって、ハイビジョンサイズ用枠体６１は退避位置に位置させられる。一方、ロータリソレノイド７３が通電状態では、回転部７３ａが図３の（イ）中の矢印Ａ方向に回転し、それに伴って、アーム７０の先端がコイルバネ７４の付勢力に抗して矢印Ｂ方向に回転して、図示しないが、ハイビジョンサイズ用枠体６１は露光処理位置に位置させられる。
【００４３】
以下、パノラマサイズ用操作手段７ｐについて説明を加える。
先端部にピン７５ｂを固着し、且つ、後端部に長尺の切り欠き７５ａを形成したアーム７５を、その中間部において軸体７６に枢支した状態で、設けてある。長孔７７ａを形成した連結ブロック７７を、パノラマサイズ用枠体６２の上面に固着してある。回転部７８ａにピン７８ｂを固着したロータリソレノイド７８を基台８上に設けてある。
そして、連結ブロック７７の長孔７７ａに、ピン７５ｂを長孔７７ａの長手方向に摺動自在に嵌合して、アーム７５とパノラマサイズ用枠体６２とを連動連結してある。又、アーム７５の切り欠き７５ａに、ロータリソレノイド７８のピン７８ｂを切り欠き７５ａの長手方向に摺動自在に嵌合して、アーム７５とロータリソレノイド７８を連動連結してある。又、アーム７５には、パノラマサイズ用枠体６２を退避位置側に引っ張るようにアーム７５を付勢するコイルバネ７９を接続してある。
【００４４】
ロータリソレノイド７８が非通電状態では、コイルバネ７９の付勢力によって、パノラマサイズ用枠体６２は退避位置に位置させられる。一方、ロータリソレノイド７８が通電状態では、回転部７８ａが図３の（イ）中の矢印Ｃ方向に回転し、それに伴って、アーム７５の先端がコイルバネ７９の付勢力に抗して矢印Ｄ方向に回転して、図３の（ロ）に示すように、パノラマサイズ用枠体６２は露光処理位置に位置させられる。
【００４５】
次に、コントローラＣＯが、露光処理位置に位置するフィルムＦの駒の大きさ情報に基づいて、その駒に対応する開口寸法に露光開口部ＥＷの開口寸法を変更するように、枠体操作手段７ｈ，７ｐの作動を制御する制御作動について説明する。
コントローラＣＯは、画像情報読取部１にて読み取ったフィルムＦの画像情報に基づいて、フィルムＦの駒が、フルサイズの駒Ｆｂか、ハイビジョンサイズの駒Ｆｃか、あるいは、パノラマサイズの駒Ｆｄかを判別するとともに、その駒の大きさ情報を記憶する。
駒の大きさ情報に基づいて、露光処理位置に位置するフィルムＦの駒がフルサイズの駒Ｆｂのときは、ロータリソレノイド７３，７８のいずれもを非通電状態とする。従って、図３の（イ）に示すように、ハイビジョンサイズ用枠体６１及びパノラマサイズ用枠体６２のいずれもが退避位置に位置する状態となるので、フルサイズ用枠体５の露光開口部形成用の開口５ｗが、露光開口部ＥＷとして機能する。
【００４６】
駒の大きさ情報に基づいて、露光処理位置に位置するフィルムＦの駒がハイビジョンサイズの駒Ｆｃのときは、ロータリソレノイド７３を通電状態、ロータリソレノイド７８を非通電状態とする。従って、図示はしないが、ハイビジョンサイズ用枠体６１が露光処理位置に位置し、パノラマサイズ用枠体６２が退避位置に位置する状態となるので、ハイビジョンサイズ用枠体６１の露光開口部形成用の開口６１ｗが、フルサイズ用枠体５の露光開口部形成用の開口５ｗを規制して、ハイビジョンサイズ用枠体６１の露光開口部形成用の開口６１ｗが露光開口部ＥＷとして機能する。
【００４７】
駒の大きさ情報に基づいて、露光処理位置に位置するフィルムＦの駒がパノラマサイズの駒Ｆｄのときは、ロータリソレノイド７３を非通電状態、ロータリソレノイド７８を通電状態とする。従って、図３の（ロ）に示すように、ハイビジョンサイズ用枠体６１が退避位置に位置し、パノラマサイズ用枠体６２が露光処理位置に位置する状態となるので、パノラマサイズ用枠体６２の露光開口部形成用の開口６２ｗが、フルサイズ用枠体５の露光開口部形成用の開口５ｗを規制して、パノラマサイズ用枠体６２の露光開口部形成用の開口６２ｗが露光開口部ＥＷとして機能する。
従って、コントローラＣＯは、制御手段として機能する。
【００４８】
〔別実施例〕
次に別実施例を説明する。
▲１▼  上記実施例において、ハイビジョンサイズの駒Ｆｃ用又はパノラマサイズの駒Ｆｄ用以外の開口寸法の露光開口部ＥＷを設ける場合は、押さえ板１０，１０を取り外して、ハイビジョンサイズ用枠体６１又はパノラマサイズ用枠体６２を、ハイビジョンサイズの駒Ｆｃ用又はパノラマサイズの駒Ｆｄ用以外の開口寸法に対応する露光開口部形成用の開口を形成した露光開口部形成用枠体と交換すればよい。
【００４９】
▲２▼  上記実施例において、ハイビジョンサイズ用枠体６１及びパノラマサイズ用枠体６２に加えて、更に、ハイビジョンサイズの駒Ｆｃ用及びパノラマサイズの駒Ｆｄ用以外の開口寸法に対応する露光開口部形成用の開口を形成した露光開口部形成用枠体を露光用光路を横断する方向にスライド調節自在に設けてもよい。
【００５０】
▲３▼  上記実施例では、ハイビジョンサイズ用枠体６１及びパノラマサイズ用枠体６２のスライド方向を、フィルムＦの搬送方向と直交する方向としたが、これに代えて、フィルムＦの搬送方向と直角以外の角度で交わる方向、あるいは、フィルムＦの搬送方向と平行な方向としてもよい。
【００５４】
▲７▼  上記実施例では、枠体操作手段７は、ロータリソレノイド７３，７８を用いて構成する場合について例示したが、これに代えて、ソレノイド、電動モータ、シリンダ等を用いて構成してもよい。
【００５５】
尚、特許請求の範囲の項に図面との対照を便利にするために符号を記すが、該記入により本発明は添付図面の構成に限定されるものではない。
【図面の簡単な説明】
【図１】露光用マスク装置を備えた写真焼付装置の概略構成図
【図２】露光用マスク装置の要部の分解斜視図
【図３】露光用マスク装置の平面図
【図４】露光用マスク装置の縦断側面図
【図５】露光用マスク装置の縦断正面図
【図６】フィルムの平面図
【符号の説明】
５              最大露光開口部形成用枠体
５ｗ            露光開口部形成用の開口
５２            規制部
６，６１，６２  露光開口部形成用枠体
６１ｗ，６２ｗ  露光開口部形成用の開口
７              枠体操作手段
ＣＯ            制御手段
ＥＷ            露光開口部
Ｆ              フィルム
【図１】
0003565287.tif 000002
【図２】
0003565287.tif 000003
【図３】
0003565287.tif 000004
【図４】
0003565287.tif 000005
【図５】
0003565287.tif 000006
【図６】
0003565287.tif 000007